(57)【要約】【課題】多くの光を照射できる導光体、照明装置及び画像読み取り装置を提供することである。【解決手段】導光体は、第１の導光部をベース部材に固定するための複数の第１の固定部であって、第１の導光部において第１の方向に並ぶように配置されている複数の第１の固定部と、第２の導光部をベース部材に固定するための複数の第２の固定部であって、第２の導光部において第１の方向に並ぶように配置されている複数の第２の固定部と、を備えており、複数の第１の固定部と複数の第２の固定部とは、第１の方向において交互に配置されていること、を特徴とする。【選択図】図８
2015222676.tif 000002
【特許請求の範囲】
【請求項１】
ベース部材に固定されて用いられ、第１の方向に延在する読み取り位置に向けて光を照射する導光体であって、
前記第１の方向に沿って延在する第１の導光部であって、端部から入射した光を前記読み取り位置に向けて射出する第１の導光部と、
前記第１の方向に沿って延在し、かつ、前記第１の導光体に対して、該第１の方向に直交する第２の方向の一方側に位置している第２の導光部であって、端部から入射した光を前記読み取り位置に向けて射出する第２の導光部と、
前記第１の導光部を前記ベース部材に固定するための複数の第１の固定部であって、前記第１の導光部において前記第１の方向に並ぶように配置されている複数の第１の固定部と、
前記第２の導光部を前記ベース部材に固定するための複数の第２の固定部であって、前記第２の導光部において前記第１の方向に並ぶように配置されている複数の第２の固定部と、
を備えており、
前記複数の第１の固定部と前記複数の第２の固定部とは、前記第１の方向において交互に配置されていること、
を特徴とする導光体。
【請求項２】
前記複数の第１の固定部は、前記第１の方向において等間隔に配置されており、
前記複数の第２の固定部は、前記第１の方向において等間隔に配置されていること、
を特徴とする請求項１に記載の導光体。
【請求項３】
前記第１の方向において、隣り合う２つの前記第１の固定部の中間に前記第２の固定部が配置され、
前記第１の方向において、隣り合う２つの前記第２の固定部の中間に前記第１の固定部が配置されていること、
を特徴とする請求項１又は請求項２のいずれかに記載の導光体。
【請求項４】
前記第１の固定部は、前記第１の導光部において前記第２の方向の他方側の側面から突出している第１の突起であり、
前記第２の固定部は、前記第２の導光部において前記第２の方向の一方側の側面から突出している第２の突起であること、
を特徴とする請求項１ないし請求項３のいずれかに記載の導光体。
【請求項５】
前記第１の方向及び前記第２の方向に直交する方向を第３の方向とし、
前記読み取り位置は、前記第１の導光部及び前記第２の導光部よりも前記第３の方向の一方側に位置し、
前記第１の方向に直交する断面において、前記第１の突起の重心は、前記第１の導光部の重心より前記第３の方向の他方側に位置していること、
を特徴とする請求項４に記載の導光体。
【請求項６】
請求項１ないし請求項５のいずれかに記載の導光体を備えていること、
を特徴とする照明装置。
【請求項７】
請求項６に記載の照明装置を備えていること、
を特徴とする画像読み取り装置。
【発明の詳細な説明】
【技術分野】
【０００１】
本発明は、原稿に光を照射して画像情報を読み取る画像読み取り装置に用いられる導光体及び照明装置及びこれらを備えた画像読み取り装置に関する。
【背景技術】
【０００２】
従来の導光体に関する発明としては、例えば、特許文献１に記載の照明装置が知られている。該照明装置は、読み取り位置に対して両側から光を照射できるように、２本の導光体を備えている。２本の導光体は、導光体ホルダに固定される。
【０００３】
ところで、特許文献１に記載の照明装置では、環境温度の変化により２本の導光体に反りが発生することを抑制するために、２本の導光体の側面には、２本の導光体のそれぞれの略全長にわたって突起部が設けられている。そして、突起部が導光体ホルダにより保持されている。これにより、２本の導光体に反りが発生することが抑制されている。
【０００４】
しかしながら、導光体に突起部が設けられると、導光体内を進行する光の一部が突起部を介して外部に漏れる。その結果、特許文献１に記載の照明装置では、十分な光量を得ることが困難である。
【先行技術文献】
【特許文献】
【０００５】
【特許文献１】特開２０１３−１２３６９号公報
【発明の概要】
【発明が解決しようとする課題】
【０００６】
そこで、本発明の目的は、多くの光を射出できる導光体、照明装置及び画像読み取り装置を提供することである。
【課題を解決するための手段】
【０００７】
本発明の一形態に係る導光体は、
ベース部材に固定されて用いられ、第１の方向に延在する読み取り位置に向けて光を照射する導光体であって、
前記第１の方向に沿って延在する第１の導光部であって、端部から入射した光を前記読み取り位置に向けて射出する第１の導光部と、
前記第１の方向に沿って延在し、かつ、前記第１の導光体に対して、該第１の方向に直交する第２の方向の一方側に位置している第２の導光部であって、端部から入射した光を前記読み取り位置に向けて射出する第２の導光部と、
前記第１の導光部を前記ベース部材に固定するための複数の第１の固定部であって、前記第１の導光部において前記第１の方向に並ぶように配置されている複数の第１の固定部と、
前記第２の導光部を前記ベース部材に固定するための複数の第２の固定部であって、前記第２の導光部において前記第１の方向に並ぶように配置されている複数の第２の固定部と、
を備えており、
前記複数の第１の固定部と前記複数の第２の固定部とは、前記第１の方向において交互に配置されていること、
を特徴とする。
【０００８】
また、本発明は、前記導光体を備えた照明装置、及び、該照明装置を備えた画像読み取り装置に対しても向けられている。
【発明の効果】
【０００９】
本発明によれば、多くの光を射出できる。
【図面の簡単な説明】
【００１０】
【図１】本発明の一実施形態に係る照明装置２７を備えた画像読み取り装置１０の構成図である。
【図２】照明装置２７の外観斜視図である。
【図３】図２のＡ−Ａにおける断面構造図である。
【図４】光源部４０及び導光体４２の外観斜視図である。
【図５】光源部４０及び導光体４２の外観斜視図である。
【図６】導光体４２の導光部４６の斜視図である。
【図７】導光体４２をｚ軸方向の正方向側から平面視した図である。
【図８】導光体４２をｚ軸方向の負方向側から平面視した図である。
【図９】比較例に係る導光体２００をｚ軸方向の負方向側から平面視した図である。
【図１０】導光体２００が読み取り位置に向けて射出する光の光量とｙ軸方向の位置との関係を示したグラフである。
【図１１】導光体４２が読み取り位置に向けて射出する光の光量とｙ軸方向の位置との関係を示したグラフである。
【図１２】導光体４２ａの断面構造図である。
【発明を実施するための形態】
【００１１】
以下に、本発明の一実施形態に係る導光体を備えた照明装置及び画像読み取り装置について説明する。
【００１２】
（画像読み取り装置の構成）
図１は、本発明の一実施形態に係る照明装置２７を備えた画像読み取り装置１０の構成図である。以下では、鉛直方向をｚ軸と定義し、スライダーユニット１８，２０の移動方向（すなわち、副走査方向）をｘ軸と定義する。そして、ｘ軸及びｚ軸に直交する方向（すなわち、主走査方向）をｙ軸と定義する。ｘ軸、ｙ軸、ｚ軸は互いに直交している。
【００１３】
画像読み取り装置１０は、図１に示すように、本体１２、プラテンガラス１６、スライダーユニット１８，２０、結像レンズ２２及び撮像素子２４を備えている。
【００１４】
本体１２は、プラテンガラス１６、スライダーユニット１８，２０、結像レンズ２２及び撮像素子２４が設けられている直方体状の筐体である。プラテンガラス１６は、本体１２のｚ軸方向の正方向側に設けられている開口に取り付けられている長方形状の透明板である。原稿Ｐは、プラテンガラス１６の上面に、読み取り面をｚ軸方向の負方向側に向けた状態で載置される。
【００１５】
スライダーユニット１８は、原稿Ｐが読み取られているときに、図１に示すように、原稿Ｐに沿って、図示しないモータ、ベルト及びプーリー等の移動手段により、ｘ軸方向の正方向側に向かって速度Ｖで移動させられる。スライダーユニット１８は、図１に示すように、照明装置２７及びミラー２９を含んでいる。
【００１６】
照明装置２７は、原稿Ｐの読み取り位置に向けて２方向から光を射出し、例えば、ＬＥＤ及び導光体の組み合わせにより構成される。このように、原稿Ｐの読み取り位置に向けて２方向から光が照射されることにより、読み取り位置において影が発生することが抑制される。照明装置２７の詳細については後述する。ミラー２９は、図１に示すように、原稿Ｐにおいて反射した光Ｂをｘ軸方向の負方向側に反射する。
【００１７】
スライダーユニット２０は、原稿Ｐが読み取られているときに、図１に示すように、原稿Ｐに沿って、図示しないモータ、ベルト及びプーリー等の移動手段により、ｘ軸方向の正方向側に向かって速度Ｖ／２で移動させられる。スライダーユニット２０は、ミラー３０，３２を含んでいる。
【００１８】
ミラー３０は、ミラー２９において反射した光Ｂをｚ軸方向の負方向側に反射させる。ミラー３２は、ミラー３０において反射した光Ｂをｘ軸方向の正方向側に反射させる。
【００１９】
結像レンズ２２は、光Ｂによって得られる光学像を撮像素子２４に結像させる。撮像素子２４は、ミラー３２において反射した光Ｂを受光する受光素子である。具体的には、撮像素子２４は、ｙ軸方向に延びる一次元状の撮像領域を有し、結像レンズ２２によって結像された光学像を走査して原稿Ｐの像を読み取るＣＣＤカメラ等のラインセンサである。
【００２０】
（照明装置の構成）
以下に、照明装置２７の構成について図面を参照しながら説明する。図２は、照明装置２７の外観斜視図である。図３は、図２のＡ−Ａにおける断面構造図である。図４及び図５は、光源部４０及び導光体４２の外観斜視図である。図６は、導光体４２の導光部４６の斜視図である。図７は、導光体４２をｚ軸方向の正方向側から平面視した図である。図８は、導光体４２をｚ軸方向の負方向側から平面視した図である。
【００２１】
照明装置２７は、図２ないし図４に示すように、光源部４０、導光体４２、ベース部材７０，７２，７４を備えている。
【００２２】
導光体４２は、図２ないし図４及び図８に示すように、導光部４６，４８、接続部５０，５２及び突起８０ａ〜８０ｃ，８２ａ〜８２ｃを含んでおり、例えば、ポリメタクリル酸メチル樹脂により作製される。導光体４２は、ｘ軸方向に延在する原稿Ｐの読み取り位置に向けて２方向から光を射出する。読み取り位置は、導光体４２に対してｚ軸方向の正方向側に位置している。より詳細には、導光部４６，４８の中間位置に対してｚ軸方向の正方向側に位置している。
【００２３】
導光部４６は、ｙ軸方向に延在している棒状の透明部材である。導光部４６は、ｙ軸方向の正方向側の端部から入射した光を読み取り位置に向けて射出し、具体的には、ｘ軸方向の正方向側かつｚ軸方向の正方向側に向けて光を射出する。導光部４８は、導光部４６に対してｘ軸方向の正方向側に位置しており、ｙ軸方向に延在している棒状の透明部材である。導光部４８は、ｙ軸方向の正方向側の端部から入射した光を読み取り位置に向けて射出し、具体的には、ｘ軸方向の負方向側かつｚ軸方向の正方向側に向けて光を射出する。導光部４６と導光部４８とは、これらのｙ軸方向の中間位置を通過するｚ軸方向に延在する直線に関して線対称な構造をなしている。
【００２４】
また、図６に示すように、導光部４６，４８のｚ軸方向の負方向側の面には、ｙ軸方向に並ぶ複数のプリズムが設けられている。各プリズムは、ｘ軸方向から平面視したときに三角形状をなしている。これにより、プリズムは、導光部４６，４８内の光を導光部４６，４８外に向けて反射する。本実施形態では、プリズムは、光をｚ軸方向の正方向側に反射させて原稿Ｐに向けて光を射出する。
【００２５】
接続部５０は、図５に示すように、導光部４６，４８のｙ軸方向の正方向側の端部を接続している。また、接続部５０は、図５に示すように、反射面Ｓ１，Ｓ２，入射面Ｓ３，保持面Ｓ４、上面Ｓ５及び底面Ｓ６を含んでいる。
【００２６】
保持面Ｓ４は、接続部５０のｙ軸方向の正方向側の面である。入射面Ｓ３は、保持面Ｓ４のｘ軸方向の中央が窪むことにより形成されており、ｚ軸方向に延在する円筒を円筒の中心軸に沿って半分に分割した形状をなしている。反射面Ｓ１，Ｓ２は、保持面Ｓ４に対して、ｙ軸方向の負方向側に設けられている。すなわち、反射面Ｓ１，Ｓ２は、接続部５０のｙ軸方向の負方向側の面であり、ｘ軸方向の負方向側から正方向側へとこの順に並んでいる。また、反射面Ｓ１は、ｘ軸方向の正方向側であってｙ軸方向の負方向側を向く平面である。反射面Ｓ２は、ｘ軸方向の負方向側であってｙ軸方向の負方向側を向く平面である。これにより、反射面Ｓ１，Ｓ２は、ｚ軸方向から平面視したときにＶ字型をなしている。また、反射面Ｓ１，Ｓ２は、接続部５０のｘ軸方向の中心を通過するｙ軸方向に平行な直線に関して、互いに線対称な構造を有している。
【００２７】
上面Ｓ５は、保持面Ｓ４と反射面Ｓ１，Ｓ２とを接続する面であり、接続部５０のｚ軸方向の正方向側の面である。底面Ｓ６は、保持面Ｓ４と反射面Ｓ１，Ｓ２とを接続する面であり、接続部５０のｚ軸方向の負方向側の面である。これにより、上面Ｓ５と底面Ｓ６とが互いに対向しており、上面Ｓ５が、底面Ｓ６に対してｚ軸方向の正方向側に設けられている。
【００２８】
接続部５２は、図４に示すように、導光部４６，４８のｙ軸方向の負方向側の端部に接続されている。接続部５２は、導光部４６をｙ軸方向の負方向側に向かって進行してきた光を導光部４８へと導くと共に、導光部４８をｙ軸方向の負方向側に向かって進行してきた光を導光部４６へと導く。
【００２９】
突起８２ａ〜８２ｃは、図８に示すように、導光部４８をベース部材７０，７２，７４に固定するための固定部であり、ｙ軸方向の正方向側から負方向側へとこの順に等間隔に並ぶように配置されている。突起８２ａ〜８２ｃは、導光部４８に反りが発生することを抑制するために設けられている。突起８２ａ〜８２ｃは、図３に示すように、導光部４８のｘ軸方向の正方向側の側面からｘ軸方向の正方向側及びｚ軸方向の正方向側に向かって突出している三角形状の突起である。
【００３０】
突起８０ａ〜８０ｃは、図８に示すように、導光部４６をベース部材７０，７２，７４に固定するための固定部であり、ｙ軸方向の正方向側から負方向側へとこの順に等間隔に並ぶように配置されている。突起８０ａ〜８０ｃは、導光部４６に反りが発生することを抑制するために設けられている。突起８０ａ〜８０ｃの間隔と突起８２ａ〜８２ｃの間隔とは実質的に等しい。突起８０ａ〜８０ｃは、導光部４６のｘ軸方向の負方向側の側面からｘ軸方向の負方向側及びｚ軸方向の正方向側に向かって突出している三角形状の突起である。
【００３１】
また、突起８０ａ〜８０ｃと突起８２ａ〜８２ｃとは、ｙ軸方向に交互に配置されている。より詳細には、ｙ軸方向において、隣り合う２つの突起８０ａ，８０ｂの中間に突起８２ａが配置されている。ｙ軸方向において、隣り合う２つの突起８２ａ，８２ｂの中間に突起８０ｂが配置されている。ｙ軸方向において、隣り合う２つの突起８２ｂ，８２ｃの中間に突起８０ｃが配置されている。これにより、突起８０ａ，８２ａ，８０ｂ，８２ｂ，８０ｃ，８２ｃの順に並んでいる。
【００３２】
光源部４０は、図５に示すように、光源６６及び回路基板６８を含んでいる。回路基板６８は、光源６６を駆動するための駆動回路が設けられた基板であり、矩形状の平板である。
【００３３】
光源６６は、例えば、ＬＥＤにより構成され、回路基板６８のｙ軸方向の負方向側の主面上に実装されている。光源６６は、ｙ軸方向の負方向側、ｚ軸方向の正方向側及び負方向側、並びに、ｘ軸方向の正方向側及び負方向側に向けて光を射出する。本実施形態では、光源６６は、ｙ軸を中心として１２０度程度の半減角（中心方向に対して輝度が５０％となる角度）を有している。光源６６が射出した光は、図７に示すように、入射面Ｓ３を介して接続部５０内に入射する。
【００３４】
ベース部材７０は、ｙ軸方向に延在する長方形状の板状部材である。ベース部材７０は、例えば、１枚の金属板に対して折り曲げ加工が施されることにより作製されている。
【００３５】
ベース部材７２は、ｙ軸方向に延在する長方形状の枠状部材であり、ベース部材７０のｚ軸方向の正方向側の面上に固定される。ベース部材７２は、例えば、樹脂により作製されている。ベース部材７２は、保持部７２ａ，７２ｂ及び連結部７２ｃ，７２ｄを含んでいる。保持部７２ａは、ｙ軸方向に延在している。また、図３に示すように、保持部７２ａのｚ軸方向の正方向側の面には、Ｖ字状の溝Ｖ１が設けられている。そして、導光部４６のｚ軸方向の負方向側の面及びｘ軸方向の正方向側の面がＶ字状の溝Ｖ１の内周面に接触するように、導光部４６が保持部７２ａ上に載置される。
【００３６】
保持部７２ｂは、保持部７２ａよりもｘ軸方向の正方向側に配置され、ｙ軸方向に延在している。また、図３に示すように、保持部７２ｂのｚ軸方向の正方向側の面には、Ｖ字状の溝Ｖ２が設けられている。そして、導光部４８のｚ軸方向の負方向側の面及びｘ軸方向の負方向側の面がＶ字状の溝Ｖ２の内周面に接触するように、導光部４８が保持部７２ｂ上に載置される。
【００３７】
連結部７２ｃは、保持部７２ａのｙ軸方向の正方向側の端部と保持部７２ｂのｙ軸方向の正方向側の端部とを接続している。連結部７２ｃ上には接続部５０が載置される。
【００３８】
連結部７２ｄは、保持部７２ａのｙ軸方向の負方向側の端部と保持部７２ｂのｙ軸方向の負方向側の端部とを接続している。連結部７２ｄ上には接続部５２が載置される。
【００３９】
ベース部材７４は、ｙ軸方向に延在する長方形状の枠状部材であり、ベース部材７２のｚ軸方向の正方向側の面上に固定される。これにより、ベース部材７２とベース部材７４とは、導光体４２をｚ軸方向の両側から挟んで固定している。ベース部材７４は、例えば、樹脂により作製されている。ベース部材７４は、保持部７４ａ，７４ｂ及び連結部７４ｃ，７４ｄを含んでいる。保持部７４ｂは、ｙ軸方向に延在している。また、図３に示すように、保持部７４ｂは、ｚ軸方向の負方向側及びｘ軸方向の負方向側を向く面Ｓ２を有している。そして、導光部４８のｘ軸方向の正方向側の側面が面Ｓ２に接触する。
【００４０】
更に、面Ｓ２には、図３に示すように、凹部１０２ａ〜１０２ｃ（凹部１０２ｂのみ図示）が設けられている。凹部１０２ａ〜１０２ｃは、ｙ軸方向の正方向側から負方向側へとこの順に等間隔に並んでいる。凹部１０２ａ〜１０２ｃは、面Ｓ１がｘ軸方向の正方向側及びｚ軸方向の正方向側に窪むことにより形成されている。そして、凹部１０２ａ〜１０２ｃ内には、突起８２ａ〜８２ｃが挿入されている。
【００４１】
保持部７４ａは、保持部７４ｂよりもｘ軸方向の負方向側に配置され、ｙ軸方向に延在している。また、図３に示すように、保持部７４ａは、ｚ軸方向の負方向側及びｘ軸方向の正方向側を向く面Ｓ１を有している。そして、導光部４６のｘ軸方向の負方向側の側面が面Ｓ１に接触する。
【００４２】
更に、面Ｓ１には、図３に示すように、凹部１００ａ〜１００ｃ（図示せず）が設けられている。凹部１００ａ〜１００ｃは、ｙ軸方向の正方向側から負方向側へとこの順に等間隔に並んでいる。凹部１００ａ〜１００ｃは、面Ｓ１がｘ軸方向の負方向側及びｚ軸方向の正方向側に窪むことにより形成されている。そして、凹部１００ａ〜１００ｃ内には、突起８０ａ〜８０ｃが挿入されている。
【００４３】
次に、照明装置２７における光の経路の詳細について図７を参照しながら説明する。
【００４４】
光源６６は光を射出する。これにより、光源６６が射出した光は、入射面Ｓ３を介して接続部５０内に入射する。入射面Ｓ３から入射した光の一部（光Ｂ１）は、反射面Ｓ１に入射する。反射面Ｓ１は、光Ｂ１を全反射する。これにより、入射面Ｓ３から入射した光Ｂ１は、導光部４６に入射する。また、入射面Ｓ３から入射した光の一部（光Ｂ２）は、反射面Ｓ１に入射せずに、直接に導光部４６に入射する。
【００４５】
導光部４６に入射した光Ｂ１，Ｂ２は、導光部４６の内周面において全反射を繰り返しながらｙ軸方向の負方向側へと進行する。光Ｂ１，Ｂ２は、ｙ軸方向の負方向側に向かって進行中に、導光部４６に設けられたプリズムにおいて反射される。これにより、光Ｂ１，Ｂ２は、ｚ軸方向の正方向側に向かって導光部４６外へと射出する。
【００４６】
入射面Ｓ３から入射した光の一部（光Ｂ３）は、反射面Ｓ２に入射する。反射面Ｓ２は、光Ｂ３を全反射する。これにより、入射面Ｓ３から入射した光Ｂ３は、導光部４８に入射する。また、入射面Ｓ３から入射した光の一部（光Ｂ４）は、反射面Ｓ２に入射せずに、直接に導光部４８に入射する。
【００４７】
導光部４８に入射した光Ｂ３，Ｂ４は、導光部４８の内周面において全反射を繰り返しながらｙ軸方向の負方向側へと進行する。光Ｂ３，Ｂ４は、ｙ軸方向の負方向側に向かって進行中に、導光部４８に設けられたプリズムにおいて反射される。これにより、光Ｂ３，Ｂ４は、ｚ軸方向の正方向側に向かって導光部４８外へと射出する。
【００４８】
（効果）
本実施形態に係る導光体４２によれば、多くの光を射出できる。より詳細には、特許文献１に記載の照明装置では、２本の導光体の略全長にわたって突起部が設けられている。そのため、２本の導光体の略全長にわたって、突起部における光の漏れが発生する。そのため、特許文献１に記載の照明装置では、十分な光量を得ることが困難であった。
【００４９】
一方、導光体４２では、ｙ軸方向に並ぶ複数の突起８０ａ〜８０ｃ，８２ａ〜８２ｃが設けられている。そのため、導光部４６，４８の略全長にわたって突起部が設けられていない。これにより、導光体４２では、特許文献１に記載の照明装置に比べて、光の漏れ量が少なくなる。その結果、導光体４２では、特許文献１に記載の照明装置よりも、多くの光を射出できる。
【００５０】
また、導光体４２によれば、以下に説明するように、ｙ軸方向の位置によって読み取り位置に射出される光の光量がばらつくことが抑制される。図９は、比較例に係る導光体２００をｚ軸方向の負方向側から平面視した図である。導光体２００の各構成の参照符号は、導光体４２の各構成の参照符号に２００を足した符号を用いた。図１０は、導光体２００が読み取り位置に向けて射出する光の光量とｙ軸方向の位置との関係を示したグラフである。図１１は、導光体４２が読み取り位置に向けて射出する光の光量とｙ軸方向の位置との関係を示したグラフである。横軸はｙ軸方向の位置を示し、縦軸は光量を示す。
【００５１】
比較例に係る導光体２００は、突起２８０ａ〜２８０ｃと突起２８２ａ〜２８２ｃとがｘ軸方向において対向している点において導光体４２と相違する。導光体２００のその他の構成は、導光体４２と同じである。
【００５２】
導光体２００では、導光部２４６が突起２８０ａ〜２８０ｃにおいてベース部に固定され、導光部２４８が突起２８２ａ〜２８２ｃにおいてベース部に固定されている。この場合、突起２８０ａと突起２８０ｂとの間、突起２８０ｂと突起２８０ｃとの間において、導光部２４６に撓みが発生する。同様に、突起２８２ａと突起２８２ｂとの間、突起２８２ｂと突起２８２ｃとの間において、導光部２４８に撓みが発生する。このような撓みが発生すると、導光部２４６，２４８が射出する光Ｌ１１，Ｌ１２の光量は、図１０に示すように、ｙ軸方向の位置によって周期的に変動する。具体的には、突起２８０ａ〜２８０ｃ，２８２ａ〜２８２ｃに対応する位置では、相対的に光量が小さくなり、突起２８０ａ〜２８０ｃ，２８２ａ〜２８２ｃ以外の位置では、相対的に光量が大きくなる。そして、導光体２００のように、突起２８０ａ〜２８０ｃと突起２８２ａ〜２８２ｃとがｘ軸方向において対向していると、導光部２４６が射出した光Ｌ１１の光量の位相と導光部２４８が射出した光Ｌ１２の光量の位相とが一致してしまう。その結果、導光部２４６が射出した光Ｌ１１と導光部２４８が射出した光Ｌ１２との合成光の光量も周期的に大きく変動するようになる。このように、合成光の光量が周期的に変動すると、画像読み取り装置１０が読み取った画像にむらが発生する。
【００５３】
そこで、導光体４２では、突起８０ａ〜８０ｃと突起８２ａ〜８２ｃとは、ｙ軸方向に交互に配置されている。これにより、図１１に示すように、導光部４６が射出した光Ｌ１の光量の位相と導光部４８が射出した光Ｌ２の光量の位相とがずれる。具体的には、導光部４６が射出した光Ｌ１の光量の隣り合う２つのピークの間に導光部４８が射出した光Ｌ２の光量のピークが位置し、導光部４８が射出した光Ｌ２の光量の隣り合う２つのピークの間に導光部４６が射出した光Ｌ１の光量のピークが位置するようになる。その結果、導光部４６が射出した光Ｌ１と導光部４８が射出した光Ｌ２との合成光の光量の周期的な変動が抑制されるようになる。すなわち、光の配向バランスを整えることが可能となる。
【００５４】
更に、導光体４２では、ｙ軸方向において、隣り合う２つの突起８０ａ，８０ｂの中間に突起８２ａが配置されている。ｙ軸方向において、隣り合う２つの突起８２ａ，８２ｂの中間に突起８０ｂが配置されている。ｙ軸方向において、隣り合う２つの突起８０ｂ，８０ｃの中間に突起８２ｂが配置されている。ｙ軸方向において、隣り合う２つの突起８２ｂ，８２ｃの中間に突起８０ｃが配置されている。これにより、図１１に示すように、導光部４６が射出した光Ｌ１の光量のピークにおいて、導光部４８が射出した光Ｌ２の光量が最も少なくなる。更に、導光部４８が射出した光Ｌ２の光量のピークにおいて、導光部４６が射出した光Ｌ１の光量が最も少なくなる。その結果、合成光の光量の周期的な変動がより効果的に抑制されるようになる。
【００５５】
（変形例）
以下に、変形例に係る導光体４２ａについて図面を参照しながら説明する。図１２は、導光体４２ａの断面構造図である。
【００５６】
導光体４２ａは、突起８０ａ〜８０ｃ，８２ａ〜８２ｃが設けられている位置において導光体４２と相違する。導光体４２ａのその他の構成は、導光体４２と同じであるので説明を省略する。
【００５７】
導光体４２では、ｙ軸方向に直交する断面において、突起８０ａ〜８０ｃ，８２ａ〜８２ｃの重心Ｇ２はそれぞれ、導光部４６，４８の重心Ｇ１よりもｚ軸方向の正方向側に位置している。一方、導光体４２ａでは、ｙ軸方向に直交する断面において、突起８０ａ〜８０ｃ，８２ａ〜８２ｃの重心Ｇ２はそれぞれ、導光部４６，４８の重心Ｇ１よりもｚ軸方向の負方向側に位置している。
【００５８】
以上のような導光体４２ａによれば、読み取り位置における配光の乱れが抑制される。より詳細には、突起８０ａ〜８０ｃ，８２ａ〜８２ｃにおいて反射した光は、読み取り位置における配光の乱れの原因となるので、読み取り位置を射出しないことが好ましい。そこで、導光体４２ａでは、ｙ軸方向に直交する断面において、突起８０ａ〜８０ｃ，８２ａ〜８２ｃの重心Ｇ２はそれぞれ、導光部４６，４８の重心Ｇ１よりもｚ軸方向の負方向側に位置している。これにより、突起８０ａ〜８０ｃにおいて反射した光は、読み取り位置よりもｘ軸方向の正方向側を射出し、突起８２ａ〜８２ｃにおいて反射した光は、読み取り位置よりもｘ軸方向の負方向側を射出するようになる。その結果、読み取り位置における配光の乱れが抑制されるようになる。
【００５９】
（その他の実施形態）
本発明に係る照明装置は、導光体４２，４２ａに限らず、その要旨の範囲内において変更可能である。
【００６０】
なお、突起８０ａ〜８０ｃは、等間隔に並んでいなくてもよい。同様に、突起８２ａ〜８２ｃは、等間隔に並んでいなくてもよい。
【００６１】
なお、ｙ軸方向において、隣り合う２つの突起８０ａ，８０ｂの中間に突起８２ａが配置されていなくてもよい。同様に、ｙ軸方向において、隣り合う２つの突起８２ａ，８２ｂの中間に突起８０ｂが配置されていなくてもよい。同様に、ｙ軸方向において、隣り合う２つの突起８０ｂ，８０ｃの中間に突起８２ｃが配置されていなくてもよい。
【００６２】
なお、導光部４６，４８は、突起８０ａ〜８０ｃ，８２ａ〜８２ｃの代わりに凹部によりベース部材７０，７２，７４に固定されてもよい。
【産業上の利用可能性】
【００６３】
本発明に係る導光体、照明装置及び画像読み取り装置に関し、多くの光を射出できる点において優れている。
【符号の説明】
【００６４】
１０：画像読み取り装置
２７：照明装置
４０：光源部
４２，４２ａ：導光体
４６，４８：導光部
５０，５２：接続部
６６：光源
６８：回路基板
７０，７２，７４：ベース部材
８０ａ〜８０ｃ，８２ａ〜８２ｃ：突起
１００ａ〜１００ｃ，１０２ａ〜１０２ｃ：凹部
【図１】
2015222676.tif 000003
【図４】
2015222676.tif 000004
【図５】
2015222676.tif 000005
【図６】
2015222676.tif 000006
【図７】
2015222676.tif 000007
【図８】
2015222676.tif 000008
【図９】
2015222676.tif 000009
【図１０】
2015222676.tif 000010
【図１１】
2015222676.tif 000011
【図１２】
2015222676.tif 000012
【図２】
2015222676.tif 000013
【図３】
2015222676.tif 000014